(57)【要約】本発明は、（Ａ）（１）少なくとも第一の相互作用ドメインに結合されたリポーター分子の第一の断片と、少なくとも第二の相互作用ドメインに結合されたリポーター分子の第二の断片を作製するか、または（２）前記第一の断片と第二の断片とをコードする核酸を作製し、その後前記核酸分子がコードしている産物を作製するステップと、次いで、（Ｂ）前記二つのドメインを相互作用させるステップと、（Ｃ）ペニシリンクラスの基質またはセファロスポリンクラスの基質と反応しうる再構築されたリポーター分子活性を検出するステップとを含む分析方法を説明している。【特許請求の範囲】
【請求項１】
（Ａ）　１）少なくとも第一の相互作用ドメインに結合されたリポーター分子の第一の断片と、少なくとも第二の相互作用ドメインに結合されたリポーター分子の第二の断片とを作製するか、または、
２）前記第一の断片と第二の断片とをコードする核酸分子を作製し、その後、該核酸分子に、該核酸分子がコードしている産物を作製させるステップと、
（Ｂ）　前記二つのドメインを相互作用させるステップと、
（Ｃ）　ペニシリンクラスの基質またはセファロスポリンクラスの基質と反応しうる再構築されたリポーター分子の活性を検出するステップと
を含む分析方法。
【請求項２】
前記リポーター分子が酵素である請求項１記載の分析方法。
【請求項３】
前記リポーター分子がβ−ラクタマーゼである請求項１記載の分析方法。
【請求項４】
前記基質との前記反応が実質的に不可逆的である請求項１記載の分析方法。
【請求項５】
前記基質がニトロセフィンまたはＣＣＦ２／ＡＭを含む請求項１、２、３または４のいずれかに記載の分析方法。
【請求項６】
ｉｎ　ｖｉｖｏで実施される請求項１、２、３または４のいずれかに記載の分析方法。
【請求項７】
前記リポーター分子が通常は真核細胞類に存在しない請求項１、２、３または４のいずれかに記載の分析方法。
【請求項８】
（Ａ）　１）少なくとも第一の相互作用ドメインに結合されたリポーター分子の第一の断片と、少なくとも第二の相互作用ドメインに結合されたリポーター分子の第二の断片、または、
２）それらをコードする化合物
に宿主細胞を曝露するステップと、
（Ｂ）　再構築されたリポーター分子の活性を検出するステップであって、内因性のバックグラウンドを実質的に生じることなくシグナルを生成するリポーター分子と宿主細胞とが使用されることを特徴とするステップと
を含む分析方法。
【請求項９】
シグナル対バックグラウンド比が約３０：１またはそれ以上である請求項１、２、３、４または８のいずれかに記載の分析方法。
【請求項１０】
前記シグナルが肉眼で観察できる請求項１、２、３、４または８のいずれかに記載の分析方法。
【請求項１１】
前記基質がニトロセフィンを含む請求項１０記載の分析方法。
【請求項１２】
（Ａ）　１）少なくとも第一の相互作用ドメインに結合されたリポーター分子の第一の断片と、少なくとも第二の相互作用ドメインに結合されたリポーター分子の第二の断片、または、
２）それらをコードする化合物
に宿主細胞を曝露するステップと、
（Ｂ）　前記細胞に侵入後に細胞内に捕獲されるリポーター分子基質を添加して、再構築されたリポーター分子活性を検出するステップと
を含む分析方法。
【請求項１３】
（Ａ）１）少なくとも第一の相互作用ドメインに結合されたリポーター分子の第一の断片と、少なくとも第二の相互作用ドメインに結合されたリポーター分子の第二の断片、または、
２）それらをコードする化合物
に宿主細胞を曝露するステップと、
（Ｂ）　蛍光シグナル発生系を共有結合させたリポーター分子基質を添加して、再構築されたリポーター分子活性を検出するステップと
を含む分析方法。
【請求項１４】
前記リポーター分子による前記基質の切断により、蛍光シグナルの発生に変化が生じる請求項１３記載の分析方法。
【請求項１５】
相互作用ドメイン間の相互作用を減少させることによりリポーター分子活性の検出可能な減少を引き起こす化合物が添加される請求項１、７、８、１２または１３のいずれかに記載の分析方法。
【請求項１６】
（Ａ）　１）少なくとも第一の相互作用ドメインに結合されたリポーター分子の第一の断片と、少なくとも第二の相互作用ドメインに結合されたリポーター分子の第二の断片、または、
２）それらをコードする化合物
に宿主細胞を曝露するステップと、
（Ｂ）　再構築されたリポーター分子活性の指標として、宿主細胞の生存を検出するステップと
を含む分析方法。
【請求項１７】
（Ａ）　１）少なくとも第一の相互作用ドメインに結合されたリポーター分子の第一の断片と、少なくとも第二の相互作用ドメインに結合されたリポーター分子の第二の断片、または、
２）それらをコードする化合物
に宿主細胞を曝露するステップと、
（Ｂ）　前記細胞を、前記第一のドメインと第二のドメインとの相互作用の阻害能がアッセイされている化合物にさらに曝露するステップと、
（Ｃ）　前記相互作用の阻害の指標として、宿主細胞の生存を検出するステップと
を含む分析方法。
【請求項１８】
ペニシリンクラスの基質またはセファロスポリンクラスの基質を加水分解できるリポーター分子の断片に結合された相互作用ドメインの断片を含む化合物を含んでなる組成物。
【請求項１９】
（Ａ）　ペニシリンクラスの基質またはセファロスポリンクラスの基質を加水分解できるリポーター分子の第一の断片に結合された相互作用ドメインの第一の断片を含む第一の化合物と、
（Ｂ）　前記リポーター分子の第二の断片に結合された相互作用ドメインの第二の断片とを含む第二の化合物と
を含む組成物。
【請求項２０】
前記リポーター分子が酵素である請求項１８または１９記載の組成物。
【請求項２１】
前記リポーター分子がβ−ラクタマーゼである請求項１８または１９記載の組成物。
【請求項２２】
前記相互作用ドメインがロイシンジッパー由来またはラパマイシン誘導性相互作用タンパク質由来である請求項１８または１９記載の組成物。
【請求項２３】
前記相互作用ドメインがＧＣＮ４ロイシンジッパー由来またはＦＫＢＰ／ＦＲＢ由来である請求項１８または１９記載の組成物。
【請求項２４】
前記化合物の少なくとも１つが、そのリポーター分子断片をその関連する相互作用ドメインと結合させる柔軟なリンカーを持つ請求項１８または１９記載の組成物。
【請求項２５】
請求項１８または１９の化合物のいずれかをコードする配列を含む核酸分子。
【請求項２６】
請求項２０の化合物のいずれかをコードする配列を含む核酸分子。
【請求項２７】
請求項２１の化合物のいずれかをコードする配列を含む核酸分子。
【請求項２８】
請求項２２の化合物のいずれかをコードする配列を含む核酸分子。
【請求項２９】
請求項２３の化合物のいずれかをコードする配列を含む核酸分子。
【請求項３０】
請求項２４の化合物のいずれかをコードする配列を含む核酸分子。
【請求項３１】
請求項２５記載の核酸のいずれかを含むベクター。
【請求項３２】
請求項２６記載の核酸のいずれかを含むベクター。
【請求項３３】
請求項２７記載の核酸のいずれかを含むベクター。
【請求項３４】
請求項２８記載の核酸のいずれかを含むベクター。
【請求項３５】
請求項２９記載の核酸のいずれかを含むベクター。
【請求項３６】
請求項３０記載の核酸のいずれかを含むベクター。
【請求項３７】
請求項１８または１９記載の化合物のいずれかと、または該化合物のいずれかをコードする任意の分子と接触している細胞。
【請求項３８】
請求項２０記載の化合物のいずれかと、または該化合物のいずれかをコードする任意の分子と接触している細胞。
【請求項３９】
請求項２１記載の化合物のいずれかと、または該化合物のいずれかをコードする任意の分子と接触している細胞。
【請求項４０】
請求項２２記載の化合物のいずれかと、または該化合物のいずれかをコードする任意の分子と接触している細胞。
【請求項４１】
請求項２３記載の化合物のいずれかと、または該化合物のいずれかをコードする任意の分子と接触している細胞。
【請求項４２】
請求項２４記載の化合物のいずれかと、または該化合物のいずれかをコードする任意の分子と接触している細胞。
【請求項４３】
（Ａ）　相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、
（Ｂ）　前記反応により生じるシグナルを検出するステップと
を含む分析方法。
【請求項４４】
前記リポーター分子が酵素である請求項４３記載の分析方法。
【請求項４５】
前記リポーター分子がβ−ラクタマーゼである請求項４３記載の分析方法。
【請求項４６】
前記基質との前記反応が実質的に不可逆的である請求項４３記載の分析方法。
【請求項４７】
前記基質がニトロセフィンまたはＣＣＦ２／ＡＭを含む請求項４３、４４、４５または４６のいずれかに記載の分析方法。
【請求項４８】
ｉｎ　ｖｉｖｏで実施される請求項４３、４４、４５または４６のいずれかに記載の分析方法。
【請求項４９】
前記リポーター分子が通常は真核細胞類に存在しない請求項４３、４４、４５または４６のいずれかに記載の分析方法。
【請求項５０】
前記分析方法において、内因性バックグラウンドが実質的に存在しない請求項４３、４４、４５または４６のいずれかに記載の分析方法。
【請求項５１】
（Ａ）　相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、
（Ｂ）　前記反応により生じるシグナルを検出するステップであって、分析において実質的に内因性バックグラウンドが存在しないことを特徴とするステップとを含む分析方法。
【請求項５２】
シグナル対バックグラウンド比が約３０：１またはそれ以上である請求項４３、４４、４５、または４６または５１のいずれかに記載の分析方法。
【請求項５３】
前記シグナルが肉眼で観察できる請求項４３、４４、４５、または４６または５１記載の分析方法。
【請求項５４】
前記基質がニトロセフィンを含む請求項５３記載の分析方法。
【請求項５５】
前記反応が、細胞の存在下で生じ、前記基質が細胞に侵入後に細胞内に捕獲される請求項４３、４４、４５、または４６または５１のいずれかに記載の分析方法。
【請求項５６】
（Ａ）　相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、
（Ｂ）　前記反応により生じるシグナルを検出するステップであって、前記反応は細胞の存在下で生じ、前記基質は侵入後に前記細胞内に捕獲されることを特徴とするステップと
を含む分析方法。
【請求項５７】
蛍光シグナル発生システムを共有結合させたリポーター分子基質が添加される請求項４３、４４、４５、または４６または５１のいずれかに記載の分析方法。
【請求項５８】
（Ａ）　相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、
（Ｂ）　蛍光シグナル発生システムを共有結合させたリポーター分子基質を添加して、前記反応により生じるシグナルを検出するステップと
を含む分析方法。
【請求項５９】
前記反応により、蛍光シグナルの発生に変化が生じる請求項５８記載の分析方法。
【請求項６０】
前記相互作用を妨げることによりリポーター分子活性に検出可能な減少を引き起こす化合物が添加される請求項５８記載の分析方法。
【請求項６１】
（Ａ）相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、
（Ｂ）前記反応の指標として細胞の生存を検出するステップと
を含む細胞分析方法。
【請求項６２】
前記相互作用を妨げることが可能な化合物が添加される請求項６１記載の分析方法。
【発明の詳細な説明】
【０００１】
［技術分野］
本発明は、タンパク質とタンパク質、タンパク質と低分子およびタンパク質核酸の相互作用を検出するためのタンパク質断片相補性分析（ＰＣＡ：ｐｒｏｔｅｉｎ ｃｏｍｐｌｅｍｅｎｔａｔｉｏｎ ａｓｓａｙｓ）に関する。より具体的には、大腸菌ＴＥＭ−１　β−ラクタマーゼ（β−Ｌａｃｔａｍａｓｅ）に基づくＰＣＡ分析に関する。
【０００２】
［背景技術］
出願者等は、以前に、タンパク質とタンパク質、タンパク質と低分子、そしてタンパク質と核酸の相互作用の一般的検出方法として、オリゴマー化ドメインにより補助される酵素断片相補性分析法を報告している（文献９）。本発明において、我々は大腸菌ＴＥＭ−１　β−ラクタマーゼ（受託番号：ＡＡＢ５９７３７）に基づく分析法を説明する。本発明において、出願人等は、哺乳動物細胞において以下の３つの分析法を開示する。すなわち、（１）基質ニトロセフィンを使用するｉｎ　ｖｉｔｒｏの比色分析、および（２）基質ＣＣＦ２／ＡＭを使用するｉｎ　ｖｉｖｏ陽性／陰性蛍光分析である。本発明は、セファロスポリンと細胞毒性プロドラッグとの結合体を使用する陽性陰性生存分析と、β−ラクタマーゼＰＣＡの効率を高めるものと予測される一連のβ−ラクタマーゼの点突然変異にも関する。
【０００３】
ＴＥＭ−１　β−ラクタマーゼは、ペニシリンおよびセファロスポリンクラスの抗生物質を加水分解する細菌酵素群の一員で、従って、これらの酵素を発現する細菌に耐性を付与する。ＴＥＭ−１　β−ラクタマーゼは、分子生物学に使用される多くのプラスミドに含まれる標準的アンピシリン耐性遺伝子である。三次元構造、提唱されている触媒機序、最適な基質と最適な阻害剤は充分実証されている。ＴＥＭ−１　β−ラクタマーゼは低分子（２９キロダルトン）の２８６個のアミノ酸からなるモノマータンパク質である。最初の２３個のアミノ酸は、分泌シグナルペプチドを構成する。β−ラクタマーゼは、ペニシリンまたはセファロスポリン化合物のβ−ラクタム環のアミド結合の不可逆的な加水分解を触媒する。β−ラクタマーゼは、グラム陰性菌の細胞周辺腔に分泌されるか、あるいはグラム陽性菌によりそれらが通常作用する外部培地に分泌される。しかし、分泌シグナルペプチドが遺伝的に欠失している場合には、大腸菌またはその他の原核細胞または真核細胞にβ−ラクタマーゼが発現された時、細胞質内に蓄積し、触媒作用は発揮しない。
【０００４】
ＴＥＭ−１　β−ラクタマーゼは、ＰＣＡ法の優れた候補物質としての必須の基準の全てを満たしている。特に、ＴＥＭ−１　β−ラクタマーゼは、比較的小さなモノマータンパク質で、構造的にも機能的にもその特徴はかなり明らかにされている。ＴＥＭ−１　β−ラクタマーゼは、原核細胞と真核細胞において発現可能であり、どちらに対しても毒性はない。これらに加えて、以下の固有の特徴が挙げられる。まず、β−ラクタマーゼは厳密には細菌酵素であり、多くの標準的大腸菌株から遺伝的に欠失している。真核細胞には全く存在しない。従って、β−ラクタマーゼＰＣＡは、内因性バックグラウンドを全く生じることなく、真核細胞と多くの原核細胞において例外なく使用できるものと思われる。次に、分析が、生成物の迅速な蓄積を伴う基質の触媒による代謝回転に基づいている。この酵素増幅により、比較的弱い分子相互作用を観察することが可能となるはずである。最後に、分析は、ｉｎ　ｖｉｔｒｏ比色分析または蛍光分析、またはｉｎ　ｖｉｖｏ蛍光分析または生存分析の様な多くの様式で、同時に、または連続的に実施できる。分析は計測プラットフォームと無関係に実施でき、１回のピペッティング工程のみを必要とするハイスループットフォーマットに簡単に適合させることができる。
【０００５】
本発明のＰＣＡ法は、ＴＥＭ−１　β−ラクタマーゼの合理的にデザインされた２つの相補的断片に基づく。ＴＥＭ−１の結晶構造により、残基１９６−２００が、タンパク質のコアの外側、酵素ポケット遠位に位置するループを形成していることが示唆されている。このループは、触媒機序に関与しておらず、触媒作用にとって重要とは考えられない（文献４）。これらの理由から、この部位が２つの断片を作製するために選択された。我々は、残基Ｇｌｕ１９７とＬｅｕ１９８の間のループ中央を切断することを選択した。更に、２３個のアミノ酸から成る分泌シグナルペプチドが削除され、機能性酵素だけが残された。従って、断片［１］（ＢＬＦ［１］）は残基２４から１９７、断片［２］（ＢＬＦ［２］）は残基１９８−２８６で構成される。これらの断片はそれぞれ、１５個のアミノ酸（Ｇｌｙ−Ｇｌｙ−Ｇｌｙ−Ｇｌｙ−Ｓｅｒ）３からなるリンカーにより相互作用ドメイン（ＧＣＮ４ロイシンジッパーまたはラパマイシン誘導性相互作用タンパク質ＦＫＢＰ／ＦＲＢドメイン対）に連結されている。
【０００６】
［発明の目的］
本発明の主目的は、大腸菌ＴＥＭ−１　β−ラクタマーゼに基づくタンパク質相補性分析（ＰＣＡ）である。
本発明の別の目的は、基質ニトロセフィンを使用する哺乳動物細胞におけるｉｎ　ｖｉｔｒｏ比色ＰＣＡ分析である。
本発明の更なる目的は、基質ＣＣＦ２／ＡＭを使用する哺乳動物細胞におけるｉｎ　ｖｉｖｏ陽性／陰性蛍光ＰＣＡ分析である。
更に、本発明の別の目的は、セファロスポリンと細胞毒性プロドラッグとの結合体を使用する陽性および陰性生存分析である。
本発明の更なる目的は、β−ラクタマーゼＰＣＡの効率を高めると予測される一連のβ−ラクタマーゼ点突然変異を使用する陽性および陰性の生存分析である。
我々は、下記に更に説明されているように、これらの目的とその他が、大腸菌ＴＥＭ−１　β−ラクタマーゼの使用により達成されることを見いだした。
【０００７】
［発明の概要］
本発明は、（Ａ）（１）少なくとも第一の相互作用ドメインに結合されたリポーター分子の第一の断片と、少なくとも第二の相互作用ドメインに結合されたリポーター分子の第二の断片とを作製するか、あるいは前記第一の断片と第二の断片とをコードする核酸を作製し、その後前記核酸分子がコードしている産物を作製するステップと、次いで（Ｂ）前記ドメインを相互作用させるステップと、（Ｃ）ペニシリンクラスの基質またはセファロスポリンクラスの基質と反応しうる再構築されたリポーター分子活性を検出するステップとを含む分析方法に関するものである。
【０００８】
本発明は、また（Ａ）（１）少なくとも第一の相互作用ドメインに結合されたリポーター分子の第一の断片と、少なくとも第二の相互作用ドメインに結合されたリポーター分子の第二の断片、または、（２）それらをコードする化合物に宿主細胞を曝露するステップと、（Ｂ）内因性バックグラウンドを実質的に生じることなく、シグナルを生じるリポーター分子と宿主細胞を使用して、再構築されたリポーター分子活性を検出するステップとを含む分析方法にも関するものである。
【０００９】
本発明は、（Ａ）（１）少なくとも第一の相互作用ドメインに結合されたリポーター分子の第一の断片と、少なくとも第二の相互作用ドメインに結合されたリポーター分子の第二の断片、または、（２）それらをコードする化合物に宿主細胞を曝露するステップと、（Ｂ）前記細胞に侵入後に細胞内に捕獲されるリポーター分子基質を添加して、再構築されたリポーター分子活性を検出するステップとを含む分析方法も含む。
【００１０】
本発明は更に、（Ａ）（１）少なくとも第一の相互作用ドメインに結合されたリポーター分子の第一の断片と、少なくとも第二の相互作用ドメインに結合されたリポーター分子の第二の断片、または、（２）それらをコードする化合物に宿主細胞を曝露するステップと、（Ｂ）蛍光シグナル発生系を共有結合させたリポーター分子基質を添加して、再構築されたリポーター分子活性を検出するステップとを含む分析方法にも関するものである。
【００１１】
本発明はまた、（Ａ）（１）少なくとも第一の相互作用ドメインに結合されたリポーター分子の第一の断片と、少なくとも第二の相互作用ドメインに結合されたリポーター分子の第二の断片、または、（２）それらをコードする化合物に宿主細胞を曝露するステップと、（Ｂ）再構築されたリポーター分子活性の指標として、宿主細胞の生存を検出するステップとを含む分析方法も含む。
【００１２】
別の実施形態において、本発明は、（Ａ）（１）少なくとも第一の相互作用ドメインに結合されたリポーター分子の第一の断片と、少なくとも第二の相互作用ドメインに結合されたリポーター分子の第二の断片、または、（２）それらをコードする化合物に宿主細胞を曝露するステップと、（Ｂ）更に前記細胞を、前記第一のドメインと第二のドメインの相互作用の阻害能がアッセイされている化合物に曝露するステップと、（Ｃ）前記相互作用の阻害作用の指標として宿主細胞の生存を検出するステップとを含む分析方法を開示している。
【００１３】
本発明は、また、ペニシリンクラスの基質またはセファロスポリンクラスの基質を加水分解できるリポーター分子の断片に結合された相互作用ドメインの断片を含む化合物を含む組成物をも含む。
【００１４】
更なる実施形態において、本発明は、（Ａ）ペニシリンクラスの基質またはセファロスポリンクラスの基質を加水分解できるリポーター分子の第一の断片に結合された相互作用ドメインの第一の断片を含む第一の化合物と、（Ｂ）前記リポーター分子の第二の断片に結合された相互作用ドメインの第二の断片を含む第二の化合物とを含む組成物にも関する。
【００１５】
本発明はまた、（Ａ）相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、（Ｂ）前記反応により生じるシグナルを検出するステップとを含む分析方法にも関する。
【００１６】
本発明の更なる実施形態において、本発明は、（Ａ）相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、（Ｂ）前記反応により生じるシグナルを検出するステップであって、分析に実質的に内因性バックグラウンドは存在しないことを特徴とするステップとを含む分析方法にも関する。
【００１７】
本発明はまた、（Ａ）相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、（Ｂ）前記反応は細胞が存在すると起こり、前記基質は侵入後前記細胞内に捕獲される、前記反応により生じるシグナルを検出するステップとを含む分析方法にも関する。
【００１８】
本発明は更に、（Ａ）相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、（Ｂ）蛍光シグナル発生系を共有結合させたリポーター分子の基質を添加して、前記反応により生じるシグナルを検出するステップとを含む分析方法にも関する。
本発明は更に、（Ａ）相互作用可能な少なくとも２つの分子により、分子が近接する際に、ペニシリンクラスの基質またはセファロスポリンクラスの基質と反応しうる複合体を形成する少なくとも２つのリポーター分子断片を近接させるステップと、（Ｂ）前記反応の指標として細胞の生存を検出するステップとを含む細胞の分析方法も提供している。
【００１９】
［好ましい実施形態の説明］
＜β−ラクタマーゼの酵素分析のための基質＞
本発明の実施にあたり、β−ラクタマーゼＰＣＡを検討するために２つの基質を使用した。第一の基質はセファロスポリンニトロセフィンである。この基質は、ｉｎ　ｖｉｔｒｏ比色分析に使用される。β−ラクタマーゼは、この物質に対して極めて効率的で、ｋｃａｔ／ｋｍは１７，０００ｍＭ−１＊ｓ−１である（文献４）。基質のコンバージョンは、肉眼で容易に観察できる。基質は溶液中で黄色であるが、生成物は明瞭な深紅（ルビーレッド）である。加水分解速度は、４９２ｎｍで赤の外見を測定することによりあらゆる分光光度計で定量的に監視できる。測定様式によって異なるが、シグナル対バックグラウンドは、３０：１以上にすることが可能である（図２）。下記に説明されている様に、ニトロセフィンは膜透過性でないため、現在この分析法は、全細胞ライゼート（ｌｙｓａｔｅ）を用いて実施されている。しかし、原則として、エステル基を付加すれば、膜透過性を充分付与でき、適正なｉｎ　ｖｉｖｏ比色分析が実施できる可能性がある。
【００２０】
我々は、基質ＣＣＦ２／ＡＭを使用して、ｉｎ　ｖｉｖｏ蛍光分析を実施した。ニトロセフィンよりも優れた基質ではないが（ｋｃａｔ／ｋｍは１２６０ｍＭ−１＊ｓ−１）、ＣＣＦ２／ＡＭは、固有の特徴を有しており、そのためｉｎ　ｖｉｖｏのＰＣＡにとっては有用な試薬である。まず、ＣＣＦ２／ＡＭはブチリル、アセチルおよびアセトキシメチルエステルを含み、それによって、細胞質エステラーゼがそのエステル官能基の加水分解を触媒し、ポリアニオン（４アニオン）β−ラクタマーゼ基質ＣＣＦ２を遊離する、細胞質膜を横断して拡散することができるい。ＣＣＦ２が負電荷を帯びているため、基質は細胞内に捕獲される様になる。無傷の基質において、蛍光共鳴エネルギー移動（ＦＲＥＴ）が、セファロスポリンコアに共有結合されるクマリンドナーと蛍光アクセプター対の間に起こり得る。クマリンドナーは、４０９ｎｍで励起することができ、４４７ｎｍで発光し、これは５３５ｎｍで緑色蛍光の回復を引き起こす蛍光アクセプターの励起エンベロープ（最大約４８５ｎｍ）の範囲内である。β−ラクタマーゼが、基質の加水分解を触媒すると、フルオレセイン部分が遊離チオールとして除去される。４０９ｎｍでクマリンドナーは励起され、それから４４７ｎｍで青色蛍光を発光し、アクセプター（フルオレセイン）は遊離チオールによりクエンチされる。
【００２１】
ＣＣＦ２／ＡＭ基質を使用して、タンパク質とタンパク質との相互作用の陽性検出と陰性検出の両者が実行できる。例えば、タンパク質とタンパク質との相互作用の陽性検出は、緑色から青色蛍光へのコンバージョンを細胞内で観察することにあり、相互作用の崩壊は緑色蛍光への逆戻りを観察することにある。これは、ラパマイシンにより誘導されるＦＫＢＰ　ＦＲＢ相互作用により示される（図４）。競合的阻害剤、ＦＫ５０６は、ＦＫＢＰ−ラパマイシン−ＦＲＢ相互作用を崩壊する。ＦＫ５０６濃度依存性の青色蛍光の減少として示されるが、それは同程度の緑色蛍光の増加と読み替えることができる。
【００２２】
本発明は、以下の限定的ではない実験例により説明される。
【００２３】
［実験例］
［実験例１］
［材料および方法］
［ＤＮＡ構築物］
＜ＧＣＮ４ジッパー二量体化システム＞
β−ラクタマーゼの断片（Ｆ［１］およびＦ［２］）を、以下のオリゴヌクレオチドを有するベクターｐＱＥ−３２（キアゲン製）のアンピシリン耐性遺伝子からプロジーン（メンデルサイエンティフィック製）を使用してＰＣＲにより増幅した。ＢＬＦ［１］順方向は、ＡＡＡＡＡＡＡＡＧＣＧＧＣＣＧＣＡＣＡＣＣＣＡＧＡＡＡＣＧＣＴＧＧＴであり、ＢＬＦ［１］逆方向は、ＡＡＡＣＴＣＧＡＧＴＴＡＧＣＣＡＧＴＴＡＡＴＡＧＴＴＴＧＣＧであり、ＢＬＦ［２］順方向はＡＡＡＡＡＡＡＡＧＣＧＧＣＣＧＣＡＣＴＡＣＴＴＡＣＴＣＴＡＧＣＴＴＣＣＣであり、ＢＬＦ［２］逆方向はＡＡＡＣＴＣＧＡＧＴＴＡＣＣＡＡＴＧＣＴＴＡＡＴＣＡＧＴＧＡＧである。ｐＭＴ３ベクター（真核細胞発現ベクター）においてＧＣＮ４ロイシンジッパー−５ａ．ａ．からなる前記構築物の中に、５個のアミノ酸（Ｇｌｙ−Ｇｌｙ−Ｇｌｙ−Ｇｌｙ−Ｓｅｒ）から成る柔軟なリンカーの３’末端にＰＣＲ産物を導入し、以下の構築物を得た。５個のアミノ酸リンカーを持つＺｉｐ−５ａ．ａ．ＢＬＦ［１］およびＺｉｐ−５ａ．ａ．ＢＬＦ［２］。
【００２４】
［実験例２］
＜ＦＫＢＰおよびＦＲＢ二量体化システム＞
ｐＭＴ３ベクター（文献１０）において、ＦＲＢ（ＦＲＰＡのＦＫＢＰ−ラパマイシン結合ドメイン、ＦＲＡＰはＦＫＢＰ−ラパマイシン結合タンパク質）−５ａ．ａ．とＦＫＢＰ（ＦＫ５０６結合タンパク質）−５ａ．ａからなる前記構築物の中に、５個のアミノ酸（Ｇｌｙ−Ｇｌｙ−Ｇｌｙ−Ｇｌｙ−Ｓｅｒ）から成る柔軟なリンカーの３’末端にＰＣＲ産物を導入し、それぞれ構築物ＦＲＢ−５ａ．ａ．−ＢＬＦ［１］およびＦＦＫＢＰ−ＢＬＦ［２］を得た。ＢＬＦ［１］およびＢＬＦ［２］は、それぞれＴＥＭ−１　β−ラクタマーゼの残基２３−１９７および１９８−２８６に対応する。
【００２５】
［実験例３］
［細胞培養と形質移入］
ＨＥＫ２９３Ｔ細胞は、形質移入２４時間前に、１０％のコスミック子牛血清（ハイクローン社製）を強化したＤＭＥＭ（ライフテクノロジーズ社製、グランドアイランド、ニューヨーク州）の１２ウェルプレートの中に１×１０５で分割した。細胞は、製造者の指示に従ってフュージーン試薬（ロッシュ社製）を使用することにより、異なる構築物で形質移入した。
【００２６】
［実験例４］
［ニトロセフィンを用いるｉｎ　ｖｉｔｒｏ酵素分析］
形質移入４８時間後、細胞を冷たいリン酸緩衝生理食塩水（ＰＢＳ）で３回洗浄し、３００μｌの冷たいＰＢＳに再懸濁し、氷上で保持した。次に、細胞を４℃で３０秒間遠心分離し、上清を廃棄し、１００ｍＭの、ｐＨ７．４の冷たいリン酸緩衝液（β−ラクタマーゼ反応緩衝液）１００μｌに細胞を再懸濁した。ドライアイス／エタノールの中で１０分間凍結し、３７℃の水浴の中で１０分間融解を行うことにより、凍結融解を３回繰り返し、細胞を溶解した。４℃で５分間遠心分離を行い（１０，０００×ｇ）、細胞膜と破片（デブリ）を除去した。次に、上清全細胞ライゼートを収集し、分析を実施するまで−２０℃で保存した。分析は、９６ウェルプレート（コーニングコスター社製、カタログ番号：３５９５）において実施した。β−ラクタマーゼ活性の分析のために、１００μｌのリン酸緩衝液１００ｍＭ、ｐＨ７．４を各ウェルに等分した。これに、７８μｌの水と２μｌのニトロセフィン１０ｍＭ（最終濃度１００μＭ）を加えた。最後に２０μｌの非凍結細胞ライゼートを加えた（最終緩衝液濃度は６０ｍＭ、最終ニトロセフィン濃度は６０μＭ）。吸収モードでパーキンエルマー社製ＨＴＳＳ７０００シリーズバイオアッセイリーダーを使用し、以下の設定で分析を実施した。
【００２７】
Ａ　測定モード：吸収
Ｂ　測定フィルター：４９２ｎｍ
Ｃ　振とう時間：５秒間
Ｄ　振とうモード：軌道
Ｅ　振とう強度：低
Ｆ　フラッシュ回数：３
Ｇ　積分開始：０マイクロ秒
Ｈ　積分時間：４０マイクロ秒
Ｉ　測定回数：６１
Ｊ　測定の長さ：００：２０：００
Ｋ　測定間隔：００：００：２０
【００２８】
［実験例５］
［ＣＣＦ２／ＡＭを用いるｉｎ　ｖｉｖｏ酵素分析および蛍光顕微鏡検査］
ＨＥＫ２９３細胞を上記の様に、同時形質移入し、懸濁分析のために６ウェルプレートに、蛍光顕微鏡検査のために１５ｍｍのガラス製カバーグラス（テッドペラ社）に載せ培養した。形質移入後２４時間後、細胞を再び分割し、翌日確実に５０％の密集度となる様にした（細胞密度１．５×１０５）。分割後２４時間後、細胞をＰＢＳで３回洗浄し、血清の全痕跡を除去した。次に細胞に、以下を１時間供給した。生理食塩液（１０ｍＭのＨＥＰＥＳ、６ｍＭのスクロース、１０ｍＭのグルコース、１４０ｍＭのＮａＣｌ、５ｍＭのＫＣｌ、２ｍＭのＭｇＣｌ２、２ｍＭのＣａＣｌ２、ｐＨ７．３５）に希釈された１μＭのＣＣＦ２／ＡＭ（ＤＭＳＯ中の１ｍＭ原液から希釈）。次に細胞を生理食塩水で２回洗浄した。細胞を同じ溶液に再懸濁し、１×１０６個の細胞を９６ウェル蛍光白色プレート（ダイネックスＮｏ．７９０５，ＶＷＲ　Ｓｃｉｅｎｔｉｆｉｃ，カタログ番号：６２３０２−９８０）の中に等分し、パーキンエルマー社製ＨＴＳＳ７０００シリーズバイオアッセイリーダーを使用し、以下の設定で青色蛍光を測定した。
【００２９】
Ａ．測定モード：蛍光［ＲＦＵ］トップ
Ｂ．励起フィルター：４０５ｎｍ
Ｃ．発光フィルター：４６５ｎｍ
Ｄ．ゲインモード：手動
Ｅ．ゲイン：６０
Ａ．フラッシュ回数：３
Ｂ．遅延時間：０μｓ
Ａ．積分時間：４０マイクロ秒
Ｂ．振とう時間：５秒
Ｃ．振とうモード：軌道
Ｄ．振とう強度：低
【００３０】
蛍光顕微鏡検査のために、細胞を１５ｍｍのガラス製カバーグラス上の生理食塩水中に保持した。顕微鏡検査前の細胞の処理法は、特に表示されていない限り上記に説明されている方法と同じであった。蛍光顕微鏡検査を、倒立ニコンエクリプスＴＥ−２００（対物プラン蛍光４０Ｘドライ、開口数０．７５）を用いて生きたＨＥＫ２９３Ｔ細胞で実施した。画像は、ディジタルＣＣＤ冷却カメラ（−５０℃）、モデルＯｒｃａ−ＩＩ（浜松フォトニクス社製（露出１秒間、ビニング２Ｘ２およびディジタル化１．２５ＭＨｚで１４ビット）を使用して撮影した。光源は、キセノンランプモデルＤＧ４（サッターインスツルメンツ社製）である。発光フィルターは、発光フィルター切り替え装置（モデルクァントスコープ、スタンフォードフォトニクス社製）により変えられる。画像は、Ｏ２シリコングラフィクスコンピューターでＩｓｅｅソフトウェア（イノビジョン社製）により可視化された。
【００３１】
以下の選択されたフィルターを使用した。
使用フィルター：フィルターセット＃３１０１６（クロマテクノロジーズ社製）；
励起フィルター：４０５ｎｍ（通過バンド２０ｎｍ）
二色性鏡：４２５ｎｍ　ＤＣＬＰ
発光フィルター＃１：４６０ｎｍ（通過バンド５０ｎｍ）
発光フィルター＃２：５１５ｎｍ（通過バンド２０ｎｍ）
【００３２】
［実験例６］
［β−ラクタマーゼＰＣＡの改善］
＜断片の突然変異研究＞
全長ＴＥＭ−１　β−ラクタマーゼにおけるいくつかの点突然変異が触媒活性を改善することが知られている。これらの突然変異は、ＢＬＦ［１］に関してはＥ１０４ＫとＭ１８２Ｔ、ＢＬＦ［２］に関してはＧ２３８Ｓである。例えば、セフォタキシムに関する最小阻害濃度は、野生型ＴＥＭ−１よりも２０，０００倍高く、触媒効率（ｋｃａｔ／ｋｍ）は２３８３倍高い。これらの突然変異のうち２つは断片［１］に、残りは断片［２］にある。
【００３３】
［実験例７］
＜陽性および陰性の生存選択分析＞
序言で述べたように、ＴＥＭ−１　β−ラクタマーゼは多くのクローン陽性選択用市販ベクターに組み込まれる標準的抗生物質耐性遺伝子である。そこで、ＰＣＡが同じ原理に基づいてデザインできることは明らかである。この場合、断片に融合されたタンパク質の相互作用による酵素の再構成に対する陽性選択が、生存選択の基本となるであろう。哺乳動物分析の場合と同じ断片を使用できるが、どちらの場合も２３個のアミノ酸シグナルペプチド配列が、両方のタンパク質−ＢＬＦ融合物のＮ末端に融合される必要がある。
【００３４】
抗腫瘍プロドラッグの使用は、細菌または哺乳動物細胞における陰性選択の基本を形成する（文献１２）。ＣＣＦ２／ＡＭ法に使用される化学的方法は、以前に細胞特異性的標的抗腫瘍剤のデザインに応用されている。ＣＣＦ２／ＡＭの場合と同様に、細胞毒性薬をチオエーテル、または他の適切な脱離基を介してセファロスポリンに結合させる。次に細胞を、β−ラクタマーゼに融合させた細胞表面抗原特異性抗体で処理する。β−ラクタマーゼに遭遇すると、セファロスポリンβ−ラクタム環の転位が起こり、細胞毒性プロドラッグが活性型で遊離される。陰性選択分析の実現において、β−ラクタマーゼ断片に融合された２つのタンパク質の相互作用を崩壊することにより、断片の相補性を阻害し、従って、β−ラクタマーゼ活性を阻害することにより、これらの融合物を発現する細胞に細胞毒性プロドラッグによる処理に対する抵抗性が付与される可能性がある。この方法は、タンパク質とタンパク質との相互作用を阻害する化合物のスクリーニングに利用できるものと思われる。
【００３５】
［文献］
【表１】
2004504817.tif 000002
【００３６】
本発明は、その特定の具体例の詳細を参照して説明されているが、添付の請求項に含まれている場合を除いて、かつその範囲で、その様な詳細は本発明の範囲を制限することを意図するものではない。
【図面の簡単な説明】
【図１】
図１は、本発明の酵素に関する技術的資料とβ−ラクタマーゼの立体構造（文献７）とを示す。
【図２Ａ】
図２Ａは、ニトロセフィンの化学構造とβ−ラクタマーゼの加水分解の機序を示す。
【図２Ｂ】
図２Ｂは陽性および陰性対照の可視化したものを示す。陰性は黄色の基質であり、赤はニトロセフィンの加水分解産物である。
【図３】
図３は、ＨＥＫ２９３細胞におけるＧＣＮ４ジッパーの相互作用を示す。この場合、（Ａ）は非形質移入細胞であり、（Ｂ）は野生型ＴＥＭ−１　β−ラクタマーゼにより形質移入された細胞であり、（Ｃ）はタンパク質ＦＲＢ−５ａ．ａ．−ＢＬＦ［１］とＧＣＮ４Ｚｉｐ−５ａ．ａ．−ＢＬＦ［２］の非相互作用対により形質移入された陰性対照細胞であり、（Ｄ）は、ＧＣＮ４Ｚｉｐ−５ａ．ａ．−ＢＬＦ［１］とＧＣＮ４Ｚｉｐ−５ａ．ａ．−ＢＬＦ［２］の相互作用対により形質移入された陽性対照細胞である。
【図４】
図４は、ＨＥＫ２９３細胞におけるＦＫ３Ｐの相互作用を示している。ここで、（Ａ）はラパマイシンにより誘導されるＦＫＢＰおよびＦＲＢドメインの相互作用対の構造であり、（Ｂ）はラパマイシン濃度０．１５ｎＭから０．３μＭにより、ＦＲＢ−５ａ．ａ−ＢＬＦ［１］とＦＫＢＰ−５ａ．ａ−ＢＬＦ［２］の用量応答性に誘導された相互作用の定量結果である。５０ｎＭラパマイシンに対する濃度６．９ｎＭから１５μＭの濃度のＦＫ５０６によるＦＫ５０６ＦＫＢＰ／ＦＲＢドメイン相互作用の阻害作用、（Ｃ）は、ラパマイシン濃度０．１５ｎＭから０．３μＭにより用量応答性に誘導された相互作用曲線（決定されたＫｄは３ｎＭ）、（Ｄ）は、６．９ｎＭから１５μＭの濃度のＦＫ５０６によるＦＫ５０６ＦＫＢＰ／ＦＲドメイン間の５０ｎＭのラパマイシンにより誘導された相互作用の阻害曲線である。
【図１】
2004504817.tif 000003
【図２】
2004504817.tif 000004
【図３】
2004504817.tif 000005
【図４Ａ】
2004504817.tif 000006
【図４Ｂ】
2004504817.tif 000007
【図４Ｃ】
2004504817.tif 000008
【図４Ｄ】
2004504817.tif 000009
【国際公開パンフレット】
2004504817.tif 000010
2004504817.tif 000011
2004504817.tif 000012
2004504817.tif 000013
2004504817.tif 000014
2004504817.tif 000015
2004504817.tif 000016
2004504817.tif 000017
2004504817.tif 000018
2004504817.tif 000019
2004504817.tif 000020
2004504817.tif 000021
2004504817.tif 000022
2004504817.tif 000023
2004504817.tif 000024
2004504817.tif 000025
2004504817.tif 000026
2004504817.tif 000027
2004504817.tif 000028
2004504817.tif 000029
2004504817.tif 000030
2004504817.tif 000031
2004504817.tif 000032
2004504817.tif 000033
2004504817.tif 000034
2004504817.tif 000035
2004504817.tif 000036
2004504817.tif 000037
2004504817.tif 000038
【国際公開パンフレット（コレクトバージョン）】
2004504817.tif 000039
【国際調査報告】
2004504817.tif 000040
2004504817.tif 000041